(57)【要約】【課題】除電能力を維持しつつ設計上の制約を取り払う構成を採用することで上下方向の長さを短くし、上下方向に狭小な空間でも設置できるようにしたイオナイザを提供する。【解決手段】イオナイザ本体１０が横方向に長い楕円状に形成され、噴射ノズル４０はこのイオナイザ本体１０の横側から突出するともに、下方向へ屈曲して開口が下側を面するようなイオナイザ１とした。さらに、噴射ノズル４０は、イオナイザ本体１０に対して回動自在に構成して噴射流の方向を調整できるようにした。【選択図】図１
2009016096.tif 000002
【特許請求の範囲】
【請求項１】
イオナイザ本体と、
イオナイザ本体内部に設けられる電気系回路と、
イオナイザ本体内部に設けられる流体系回路と、
イオナイザ本体外部へ突出するように設けられ、電気系回路から供給される電圧が印加されてイオンを生成する複数個の電極と、
イオナイザ本体外部に設けられ、電極が内部に収容されており、流体系回路からイオン搬送用の気体流が供給されて電極周囲のイオンとともに噴射する複数個の気体噴射部と、
を備えるコロナ放電式のイオナイザであって、
気体噴射部は、イオナイザ本体から突出して任意の方向へ気体を噴射可能であることを特徴とするイオナイザ。
【請求項２】
請求項１記載のイオナイザにおいて、
前記気体噴射部は、イオナイザ本体の横側から突出するとともに電極を中心軸とする円筒部と、円筒部と連通するとともに下側へ折れ曲がる折れ曲がり部と、折れ曲がり部と連通するとともに噴射部開口が下方向へ向く噴射口部と、からなる噴射ノズルであることを特徴とするイオナイザ。
【請求項３】
請求項２記載のイオナイザにおいて、
前記気体噴射部は、前記噴射ノズルに接続される可撓性のイオン搬送チューブを備えることを特徴とするイオナイザ。
【請求項４】
請求項２または請求項３に記載のイオナイザにおいて、
前記噴射ノズルは、イオナイザ本体に対して回動することを特徴とするイオナイザ。
【請求項５】
請求項１記載のイオナイザにおいて、
前記気体噴射部は、イオナイザ本体の横側から突出するとともに電極を中心軸とする円筒形状を有する噴射ノズルと、噴射ノズルに接続される可撓性のイオン搬送チューブと、
を備えることを特徴とするイオナイザ。
【請求項６】
請求項１〜請求項５の何れか一項に記載のイオナイザにおいて、
前記イオナイザ本体は横長に形成されるとともに、電気系回路と流体系回路とが横方向に並べられて配置されることを特徴とするイオナイザ。
【請求項７】
請求項１〜請求項６の何れか一項に記載のイオナイザにおいて、
前記電気系回路から供給される電圧はプラスおよび／またはマイナスの直流電圧であって、前記複数個の電極は、正電圧が印加されてプラスイオンを生成する複数個のプラス電極および／または負電圧が印加されてマイナスイオンを生成する複数個のマイナス電極であることを特徴とするイオナイザ。
【請求項８】
請求項１〜請求項６の何れか一項に記載のイオナイザにおいて、
前記電気系回路から供給される電圧は交流電圧であって、前記複数個の電極は、正電圧が印加されてプラスイオンを生成し、また、負電圧が印加されてマイナスイオンを生成する複数個の電極であることを特徴とするイオナイザ。
【発明の詳細な説明】
【技術分野】
【０００１】
本発明は、コロナ放電により発生させたプラスイオンおよびマイナスイオンにより、除電対象表面に帯電している正負静電気を中和することで除電するイオナイザに関するものである。
【背景技術】
【０００２】
従来技術のバー型のイオナイザは、針状の放電電極（放電針）に高電圧を印加して空気からプラスイオンとマイナスイオンと（以下、プラスイオンとマイナスイオンとを総称するとき単にイオンという）を発生させ、帯電している除電対象にイオンとともに気体流を噴射して除電するコロナ放電式イオナイザが主流である。この除電対象の一例として、例えば板状のガラス基板などを挙げることができる。このガラス基板は、例えば、ＴＦＴ（薄膜トランジスタ）液晶パネル、ＰＤＰ（プラズマ・ディスプレイ・パネル）、または、ＬＣＤ（液晶ディスプレイ）等で用いられる基板である。
【０００３】
さて、このようなコロナ放電式イオナイザは、さらに放電針に印加する高圧電源に直流電源を使用する直流方式イオナイザと、交流電源を使用する交流方式イオナイザと、に大別される。各々のイオナイザに特徴があり、使用する目的によって選択する必要がある。
直流方式イオナイザは、プラス放電針とマイナス放電針とをそれぞれ同数交互に設けたものであり、プラス放電針がプラスイオンを、マイナス放電針がマイナスイオンをそれぞれ生成する。放電針は噴射ノズル内に配置されており、発生したイオンを気体流に載せて移動速度を速くすることで、除電効果を高めている。
交流方式イオナイザは主として商用周波数の交流電源を昇圧トランスで昇圧した電源電圧を使用しており、プラスイオンとマイナスイオンとが１本の放電針から交互に発生する。放電針は噴射ノズル内に配置されており、発生したイオンを気体流に載せて移動速度を速くすることで、除電効果を高めている。
【０００４】
これらのようなイオナイザの他の先行技術として、例えば、特許文献１（特開２００２−２１６９９６号公報，発明の名称：イオン化装置及びその放電電極バー）が開示されている。この先行技術では、放電電極バーのケース内部の下側領域にエアユニットと、放電電極組立体と、が配置され、また、放電電極バーのケース内部の上側領域に高電圧ユニットと、電源回路や例えば表示回路やＣＰＵを含む制御ユニットと、が配置されるというものである。
【０００５】
また、他の先行技術として、例えば、特許文献２（特開２００６−３１０２４１号公報，発明の名称：除電装置）が開示されている。この先行技術では、電極と首振りユニットとを一体化し、それらの両端を中継ユニットと導入ユニットとにより回動自在に支持する、というものである。
【０００６】
【特許文献１】特開２００２−２１６９９６号公報（段落番号００１３、図１，図３）
【特許文献２】特開２００６−３１０２４１号公報（段落番号００２８，図１〜図３）
【発明の開示】
【発明が解決しようとする課題】
【０００７】
特許文献１に記載のように、バー型のイオナイザは、電気系回路とエア系回路とを上下領域に配置するため、側面から見ると、一般的に上下方向に長い楕円もしくは長方形の構造である。さらに、バー型のイオナイザは、放電針部分がバー底部に横方向に並んで配列されるが、一般的なイオナイザと同様に放電針先端部におよそ７０００〜１０００Ｖの高電圧をかけてコロナ放電させているため、安全上及びイオンバランスの性能上、除電対象から放電針を最低でも３０ｍｍ以上離さなくてはならない。このようにバー型のイオナイザを設置する場合、上下方向に設置のための空間が必要である。以上の理由により、上下方向で十分なスペースを持たない装置内や狭小環境においては、バー型のイオナイザを用いることは困難であった。
【０００８】
また、バー型のイオナイザは、クリーンルームにおいてファンフィルタユニットからのダウンフローを妨げることなく効率よくイオンを除電対象のある下方に運ぶ必要があり、このような理由からもダウンフローを流しやすくする上下方向に長い楕円や長方形のケース形状となるため、構造や配置が限定され、また、イオナイザ内部のスペースも限定されるという問題があった。このようなバー型のイオナイザに特有の構造上の制約を取り払いたいという要請があった。
【０００９】
さらにまた、バー型のイオナイザは、イオナイザの長手方向ではプラスマイナスが同等となるようにイオンを噴射するが、実際の除電対象はある箇所でのプラスマイナスが、わずかではあるが、偏って帯電している場合があり、噴射箇所を調整してプラスマイナスの偏りを解消したいという要請もあった。また、除電対象の特定箇所にプラスイオンやマイナスイオンの一方もしくは両方を集中的に噴射したいという要請もあった。しかしながら特許文献２に記載のような大がかりで複雑な機構系を採用すると、コストが増大するため、簡易な構成で実現したいという要請があった。
【００１０】
そこで、本発明は、上記課題を解決するためになされたものであり、その目的は、除電能力を維持しつつ設計上の制約を取り払う構成を採用することで上下方向の長さを短くし、上下方向に狭小な空間でも設置できるようにしたイオナイザを提供することにある。
【課題を解決するための手段】
【００１１】
本発明の請求項１に係るイオナイザは、
イオナイザ本体と、
イオナイザ本体内部に設けられる電気系回路と、
イオナイザ本体内部に設けられる流体系回路と、
イオナイザ本体外部へ突出するように設けられ、電気系回路から供給される電圧が印加されてイオンを生成する複数個の電極と、
イオナイザ本体外部に設けられ、電極が内部に収容されており、流体系回路からイオン搬送用の気体流が供給されて電極周囲のイオンとともに噴射する複数個の気体噴射部と、
を備えるコロナ放電式のイオナイザであって、
気体噴射部は、イオナイザ本体から突出して任意の方向へ気体を噴射可能であることを特徴とする。
【００１２】
また、本発明の請求項２に係るイオナイザは、
請求項１記載のイオナイザにおいて、
前記気体噴射部は、イオナイザ本体の横側から突出するとともに電極を中心軸とする円筒部と、円筒部と連通するとともに下側へ折れ曲がる折れ曲がり部と、折れ曲がり部と連通するとともに噴射部開口が下方向へ向く噴射口部と、からなる噴射ノズルであることを特徴とする。
【００１３】
また、本発明の請求項３に係るイオナイザは、
請求項２記載のイオナイザにおいて、
前記気体噴射部は、前記噴射ノズルに接続される可撓性のイオン搬送チューブを備えることを特徴とする。
【００１４】
また、本発明の請求項４に係るイオナイザは、
請求項２または請求項３に記載のイオナイザにおいて、
前記噴射ノズルは、イオナイザ本体に対して回動することを特徴とする。
【００１５】
また、本発明の請求項５に係るイオナイザは、
請求項１記載のイオナイザにおいて、
前記気体噴射部は、イオナイザ本体の横側から突出するとともに電極を中心軸とする円筒形状を有する噴射ノズルと、噴射ノズルに接続される可撓性のイオン搬送チューブと、
を備えることを特徴とする。
【００１６】
また、本発明の請求項６に係るイオナイザは、
請求項１〜請求項５の何れか一項に記載のイオナイザにおいて、
前記イオナイザ本体は横長に形成されるとともに、電気系回路と流体系回路とが横方向に並べられて配置されることを特徴とする。
【００１７】
また、本発明の請求項７に係るイオナイザは、
請求項１〜請求項６の何れか一項に記載のイオナイザにおいて、
前記電気系回路から供給される電圧はプラスおよび／またはマイナスの直流電圧であって、前記複数個の電極は、正電圧が印加されてプラスイオンを生成する複数個のプラス電極および／または負電圧が印加されてマイナスイオンを生成する複数個のマイナス電極であることを特徴とする。
【００１８】
また、本発明の請求項８に係るイオナイザは、
請求項１〜請求項６の何れか一項に記載のイオナイザにおいて、
前記電気系回路から供給される電圧は交流電圧であって、前記複数個の電極は、正電圧が印加されてプラスイオンを生成し、また、負電圧が印加されてマイナスイオンを生成する複数個の電極であることを特徴とする。
【発明の効果】
【００１９】
以上のような本発明によれば、除電能力を維持しつつ設計上の制約を取り払う構成を採用することで上下方向の長さを短くし、上下方向に狭小な空間でも設置できるようにしたイオナイザを提供することができる。
【発明を実施するための最良の形態】
【００２０】
続いて、本発明を実施するための最良の形態について図に基づいて説明する。図１は本形態のイオナイザの斜視外観図である。図２はイオナイザの内部ブロック図である。図３はイオナイザの側断面図である。図４は噴射ノズルの回転の説明図である。なお、本形態では直流のイオナイザを想定して説明する。
イオナイザ１の外観は、図１に示すように、イオナイザ本体１０、気体導入口２０、電源電圧入力端子３０、噴射ノズル４０、を備えている。さらにイオナイザ１の内部では、図２に示すように、電源線５０、電源回路部６０、プラス電源線７０、マイナス電源線８０、気体供給路９０、封止部１００、プラス電極１１０、マイナス電極１２０、を備えている。
ここにイオナイザ１を説明するにあたって、気体導入口２０や電源電圧入力端子３０が形成された面を側面（図３参照）とし、噴射ノズル４０が並ぶ面を正面（図４参照）として説明する。また図３，図４の横方向を水平方向とし、また、上下方向を垂直方向として説明する。
【００２１】
イオナイザ本体１０は、図１，図３でも明らかなように、その側面が水平方向に長く垂直方向に短い楕円形状を有している。さらに、図１，図２でも明らかなように正面が水平方向、つまり電極配列方向に長くバー状に形成されている。なお、イオナイザ本体１０は側面が楕円に限定されるものではなく、側面が長方形状に形成されるなど各種の形態が可能である。
【００２２】
気体導入口２０は、外部からの供給気体を入力する。
電源電圧入力端子３０は、例えば、電源用のコネクタであり、外部からの電源電圧を入力する。
【００２３】
噴射ノズル４０は、特にイオナイザ本体１０の正面の横側から突出しており、下方向へ屈曲して噴射部開口が下側に面する。噴射ノズル４０の内部には、図２にも示したようにプラス電極１１０またはマイナス電極１２０が配置されている。本形態では、図１，図２で示すように、八個の噴射ノズル４０が形成されており、プラス電極１１０またはマイナス電極１２０が八個の噴射ノズル４０の中に交互に配置される。なお、この個数は設計時に適宜選択が可能である。プラス電極１１０またはマイナス電極１２０は、図３で示すように、屈曲部付近に先端が配置されており、噴射ノズル４０の内部に収容されている。噴射ノズル４０は、図３に示すように、イオナイザ本体１０の正面横側から突出するとともにプラス電極１１０またはマイナス電極１２０を中心軸とする円筒部４１と、円筒部４１と連通するとともに下側へ折れ曲がる折れ曲がり部４２と、折れ曲がり部４２と連通するとともに噴射部開口が下方向へ向く噴射口部４３と、からなる。この噴射ノズル４０は、中にあるプラス電極１１０またはマイナス電極１２０はそのままにして、図４に示すように、その根元部でイオナイザ本体１０に対して回転するように構成されており、噴射ノズル４０を回転させることで気体噴射方向を調節できるようになされている。
【００２４】
電源線５０は、電源電圧入力端子３０からの電源電圧を電源回路部６０へ伝達する。
電源回路部６０は、外部からの電源電圧が入力されると、プラス高圧電源、マイナス高圧電源を生成し、プラス高圧電源をプラス電源線７０に、マイナス高圧電源をマイナス電源線８０に供給する。
【００２５】
プラス電源線７０には、複数（図２では４本）のプラス電極１１０が電気的に接続されている。
マイナス電源線８０には、複数（図２では４本）のマイナス電極１２０が電気的に接続されている。
【００２６】
気体供給路９０は、一端が気体導入口２０に接続され、また、他端が封止部１００により封止されている。この気体供給路９０には複数（本形態では８個）の噴射ノズル４０が接続されるというものであり、圧縮された供給気体が気体導入口２０から導入されると、気体供給路９０を介して噴射ノズル４０から気体流が出力される。この気体流は、例えば、塵埃等がフィルタにより除去された洗浄なエア流である。
封止部１００は、先に説明したように気体供給路９０を封鎖するとともに、プラス電源線７０とマイナス電源線８０とを気体供給路９０内に引き込む機能を有している。
【００２７】
プラス電極１１０は、イオナイザ本体１０の正面の横側に複数個（図２では４本）取付けられており、正電圧が印加されてプラスイオンを生成する。
マイナス電極１２０は、イオナイザ本体１０の正面の横側に複数個（図２では４本）取付けられており、負電圧が印加されてマイナスイオンを生成する。
プラス電極１１０とマイナス電極１２０とは交互に配列される。
【００２８】
ここに、電源電圧入力端子３０、電源線５０、電源回路部６０、プラス電源線７０、マイナス電源線８０は電気系回路に含められる。電気系回路は、イオナイザ本体１０の内部に設けられ、電源系等の各種回路を含む回路を指している。なお、図示しないが電気回路系では信号処理系を含めるようにしても良い。信号処理系は、各種の信号処理を行う。例えば、無線式リモコン送信を利用した設定部（図示せず）から制御コマンドを入力し、プラス電極１１０に印加するプラス高圧電源および、マイナス電極１２０に印加するマイナス高圧電源を自在に加減できる機能を有している。この場合、外部からの通信信号を受け付ける外部入出力部や動作状態を表示する動作表示パネル（図示せず）を備えるようにしても良い。またこれら信号処理系に供給する低圧電源を電源回路部６０が生成するようにしても良い。電気系回路は各種構成が考えられる。
【００２９】
また、気体導入口２０、気体供給路９０、封止部１００は、流体系回路に含められる。先に説明したように、供給気体が気体導入口２０から導入されると、気体供給路９０を介して噴射ノズル４０から気体流が出力される。流体系回路は、イオナイザ本体１０の内部に設けられている流体回路を指している。この流体系回路も上記以外の各種構成が考えられる。
【００３０】
このようなイオナイザ１の使用について、簡単に説明する。なお、図示しないが、イオナイザ１の上側にはラミナフローを送風する送風部が設置されており、上から下へラミナフローが吹いているものとする。図１で示すように、噴射ノズル４０はイオナイザ本体１０の正面の横側から突出するとともに、下方向へ屈曲して噴射部開口が下側に面するように設けられている。これは噴射ノズル４０の上方にはラミナフローを遮るものがないということであり、イオナイザ本体１０は、従来技術のような側面から見て垂直方向に長い縦楕円形に限定する必要がなくなり、本形態のように横方向に長くすることができるようになる。なお、図１の横方向に長い横楕円形のイオナイザ本体１０は、従来技術の縦方向に長い縦楕円形のイオナイザ本体を横置きにしたというものであり、イオナイザ本体を縦置き・横置きで共通化することができるため、コスト低減に寄与する。
【００３１】
イオナイザ本体１０は、本形態では図２，図３でも明らかなように電気系回路や流体系回路とが横方向に並べられている。この点でもイオナイザ本体１０が垂直方向に短く、かつ水平方向に長くなるため、特に上下の垂直方向に狭小な箇所に設置することが可能となる。
【００３２】
使用開始により、流体系回路の噴射ノズル４０から気体流が出力される状態とする。また、プラス電極１１０にプラス高圧電源を印可してプラス電極１１０の周囲にプラスイオンを生成させ、および、マイナス電極１２０にマイナス高圧電源を印可してマイナス電極１２０の周囲にマイナスイオンを生成させる。すると、噴射ノズル４０内のプラスイオンやマイナスイオンは気体流に載って噴射ノズル４０の噴射部開口から下側へ向けて噴射される。このようにプラス電極１１０とマイナス電極１２０との周囲を気体流により噴出させることでイオンを遠距離まで搬送し、併せてプラス電極１１０とマイナス電極１２０とのゴミの付着を低減する。また、噴射ノズル４０の上方向は障害物がなくなるため、ラミナフローが噴射ノズル４０の周囲に吹き付けることとなり、ラミナフローが遮蔽されやすかった従来技術よりもラミナフローを効果的なものとしている。
【００３３】
そして、イオナイザ１では、図４で示すように、噴射ノズル４０を回動させることができるため、除電対象に対して噴射された気体流を当てる箇所を変更することができる。このようにマイナスイオンやプラスイオンが当たる箇所が調節できるようにして、今までにない高度な除電機能を提供するなど除電能力を向上させることができる。
【００３４】
続いて、他の形態について図を参照しつつ説明する。図５は他の形態のイオナイザの斜視外観図である。
イオナイザ２の外観は、図５で示すように、イオナイザ本体１０、気体導入口２０、電源電圧入力端子３０、噴射ノズル４０、イオン搬送チューブ１３０を備えている。さらにイオナイザ２の内部は、図２で示すように電源線５０、電源回路部６０、プラス電源線７０、マイナス電源線８０、気体供給路９０、封止部１００、プラス電極１１０、マイナス電極１２０を備えている。
本形態では、先に図１〜図４を用いて説明した形態にイオン搬送チューブ１３０を追加したものである点以外は同様の構成を有するものであり、重複する説明は省略して、相違点のみ重点的に説明する。
【００３５】
イオン搬送チューブ１３０は、可撓性を有するチューブ、例えばウレタンなどのソフトチューブである。このようなイオナイザ２を使用する場合、まず流体系回路や噴射ノズル４０を経てイオン搬送チューブ１３０から気体流が出力される状態とし、また、プラス電極１１０にプラス高圧電源を印可してプラス電極１１０にプラスイオンを生成させ、および、マイナス電極１２０にマイナス高圧電源を印可してマイナス電極１２０にマイナスイオンを生成させる。すると、噴射ノズル４０内のプラスイオンやマイナスイオンは気体流に載ってイオン搬送チューブ１３０の噴射部開口から下側へ向けて噴射される。この噴射ノズル４０やイオン搬送チューブ１３０の上方向は障害物がなくなるため、ラミナフローが噴射ノズル４０やイオン搬送チューブ１３０の周囲に吹き付けることとなり、ラミナフローが遮蔽されやすかった従来技術よりもラミナフローを効果的なものとしている。
【００３６】
また、イオン搬送チューブ１３０を採用することで先の形態で説明した効果に加えて、さらに以下のような効果を奏しうる。
イオン搬送チューブ１３０は、噴射ノズル４０の回転に加えて自らの可撓性のため、イオン搬送チューブ１３０の先端の噴射口を自由に位置決めして除電対象の任意の位置に向けて集中してイオンを噴射して除電することが可能である。このようなイオン搬送チューブ１３０は、それぞれチューブ搬送式エアガンと同等の機能を持つことになり、１台のイオナイザ２を複数のチューブ搬送式エアガンに代替して使用できる。また、イオン搬送チューブ１３０に安全上及びイオンバランスの性能上、十分な長さを持たせれば、チューブ搬送式エアガンと同様に除電対象にイオン搬送チューブ１３０が近接しても問題とならず、対象エリアを狭めて効果的に除電できる。また、イオナイザ本体１０は除電対象から離れた位置（上側や横側など）に設置することができる。また、噴射ノズル４０が回動しない場合でもイオン搬送チューブ１３０が移動するため、上記の効果を奏しうる。
【００３７】
続いて、他の形態について図を参照しつつ説明する。図６は他の形態のイオナイザの斜視外観図である。
イオナイザ３の外観は、図６で示すように、イオナイザ本体１０、気体導入口２０、電源電圧入力端子３０、噴射ノズル１４０、イオン搬送チューブ１５０を備えている。さらにイオナイザ１の内部は、図２で示すように電源線５０、電源回路部６０、プラス電源線７０、マイナス電源線８０、気体供給路９０、封止部１００、プラス電極１１０、マイナス電極１２０を備えている。
本形態では、先に図１〜図４を用いて説明した形態と比較すると略Ｌ字状の噴射ノズル４０に代えて、単なる円筒状の噴射ノズル１４０やイオン搬送チューブ１５０を追加したものである点以外は同様の構成を有するものであり、重複する説明は省略して、相違点のみ重点的に説明する。
【００３８】
噴射ノズル１４０は、イオナイザ本体１０の正面の横側から突出しており、図示しないが噴射部開口が横側に面する。噴射ノズル１４０の内部には、プラス電極１１０またはマイナス電極１２０が配置されている。本形態では八個の噴射ノズル１４０が形成されており、プラス電極１１０またはマイナス電極１２０が八個の噴射ノズル１４０の中に交互に配置される。プラス電極１１０またはマイナス電極１２０は噴射ノズル１４０の内部に収容されている。噴射ノズル１４０は、イオナイザ本体１０の正面横側から突出するとともにプラス電極１１０またはマイナス電極１２０を中心軸とする円筒部からなる。本形態では、図２，図６で示すように、八個の噴射ノズル１４０が形成されている。なお、この個数は設計時に適宜選択が可能である。
【００３９】
イオン搬送チューブ１５０は、可撓性を有するチューブ、例えばウレタンなどのソフトチューブである。このようなイオナイザ３を使用する場合、まず、流体系回路や噴射ノズル１４０を経てイオン搬送チューブ１５０から気体流が出力される状態とし、また、プラス電極１１０にプラス高圧電源を印可してプラス電極１１０にプラスイオンを生成させ、および、マイナス電極１２０にマイナス高圧電源を印可してマイナス電極１２０にマイナスイオンを生成させる。すると、噴射ノズル１４０内のプラスイオンやマイナスイオンは気体流に載ってイオン搬送チューブ１５０の噴射部開口から下側へ向けて噴射される。この噴射ノズル１４０やイオン搬送チューブ１５０の上方向は障害物がなくなるため、ラミナフローが噴射ノズル１４０やイオン搬送チューブ１５０の周囲に吹き付けるため、ラミナフローが遮蔽されやすかった従来技術よりもラミナフローを効果的なものとしている。
【００４０】
また、イオン搬送チューブ１５０を採用することで先の形態で説明した効果に加えて、さらに以下のような効果を奏しうる。
イオン搬送チューブ１５０は、自らの可撓性のため、イオン搬送チューブ１５０の先端の噴射口を自由に位置決めして除電対象の任意の位置に向けて集中してイオンを噴射して除電することが可能である。このようなイオン搬送チューブ１５０は、それぞれチューブ搬送式エアガンと同等の機能を持つことになり、１台のイオナイザ３で複数のチューブ搬送式エアガンに代替して使用できる。また、イオン搬送チューブ１５０に安全上及びイオンバランスの性能上、十分な長さを持たせれば、チューブ搬送式エアガンと同様に除電対象にイオン搬送チューブ１５０が近接しても問題とならず、対象エリアを狭めて効果的に除電できる。また、イオナイザ本体１０は除電対象から離れた位置（上側や横側など）に設置することができる。
【００４１】
以上、イオナイザ１，２，３について説明した。そしてこれらイオナイザ１，２，３は更に各種の変形形態が可能である。上記の形態では、イオナイザ１，２，３のイオン発生方式をイオン再結合が少ない直流方式とし、生成されたプラスイオンとマイナスイオンとを混在させて気体流で除電対象に吹き付けるようにした。しかしながら直流方式であっても、特殊用途ではあるが、電気系回路から供給される電圧をプラスの直流電圧のみとしてプラスイオンのみ生成するようにしたり、または、電気系回路から供給される電圧をマイナスの直流電圧のみとしてマイナスイオンのみというようにしても良い。このような場合でも本発明の効果を奏しうるものとなる。
【００４２】
また、上記のイオナイザ１，２，３において、プラス電極１１０、マイナス電極１２０に代えて単なる電極とし、電気系回路から供給される電圧を交流電圧として電極に印可することで、正電圧が印加されてプラスイオンを生成し、また、負電圧が印加されてマイナスイオンを生成するような交流方式のイオナイザとしても良い。
また、イオナイザ１，２，３では側面片側から気体を導入しているが、両側面から気体を導入するようにしても良い。
【００４３】
以上説明した本発明のイオナイザによれば、上下方向で十分なスペースを持たない装置内や狭小環境においても設置できるようにして、その取り付け条件に応じて水平方向に寝かせるなど設置における自由度を改善することができる。また、イオナイザに特有の構造上の制約を取り払うようにして、設計の自由度を高めることができる。また、取り付け位置に加え、噴射箇所を調整できるようにしたため、プラスマイナスの偏りを解消したり、除電対象の特定箇所に集中的に噴射することもできる。また、気体噴射部の噴射方向の調整機構は簡素な構成であり、コスト増大を低く抑えることもできる。
【図面の簡単な説明】
【００４４】
【図１】本発明を実施するための最良の形態のイオナイザの斜視外観図である。
【図２】イオナイザの内部ブロック図である。
【図３】イオナイザの側断面図である。
【図４】噴射ノズルの回転の説明図である。
【図５】他の形態のイオナイザの斜視外観図である。
【図６】他の形態のイオナイザの斜視外観図である。
【符号の説明】
【００４５】
１，２，３：イオナイザ
１０：イオナイザ本体
２０：気体導入口
３０：電源電圧入力端子
４０：噴射ノズル
５０：電源線
６０：電源回路部
７０：プラス電源線
８０：マイナス電源線
９０：気体供給路
１００：封止部
１１０：プラス電極
１２０：マイナス電極
１３０：イオン搬送チューブ
１４０：噴射ノズル
１５０：イオン搬送チューブ
【図１】
2009016096.tif 000003
【図２】
2009016096.tif 000004
【図３】
2009016096.tif 000005
【図４】
2009016096.tif 000006
【図５】
2009016096.tif 000007
【図６】
2009016096.tif 000008